(57)【要約】【課題】  各種録画番組をフォルダを用いて容易に管理することが可能な録画再生装置及び方法を提供する。【解決手段】  録画再生装置は、番組を受信する受信手段１３と、受信手段１３により受信された番組をＨＤＤ１７に録画する場合、該録画する番組と録画済みの番組の番組名が、互いに同一の文字列を含むとき（Ｓ２０１のｙｅｓ）、前記録画する番組と前記録画済の番組を同一のフォルダ内に保存する保存手段（１９、Ｓ２０３）とを具備する。【選択図】    図５
2008011432.tif 000002
【特許請求の範囲】
【請求項１】
番組を受信する受信手段と、
前記受信手段により受信された番組を録画する場合、該録画する番組と録画済みの番組の番組名が、互いに同一の文字列を含むとき、前記録画する番組と前記録画済の番組を同一のフォルダ内に保存する保存手段とを具備することを特徴とする録画再生装置。
【請求項２】
前記フォルダに番組を保存するための条件として、前記同一の文字列の文字数を設定する設定手段を更に具備し、前記保存手段は、前記録画する番組と、前記設定された文字数だけ一致する文字列を含む番組名を有する録画済の番組とを、同一のフォルダ内に保存することを特徴とする請求項１記載の録画再生装置。
【請求項３】
前記フォルダに番組を保存するための条件として、前記同一の文字列が番組名の全部であることを設定する設定手段を更に具備し、前記保存手段は、前記録画する番組と同一の番組名を有する録画済の番組を同一のフォルダ内に保存することを特徴とする請求項１記載の録画再生装置。
【請求項４】
更に、前記録画する番組と前記録画済の番組を保存するためのフォルダが存在しない場合にフォルダを作成する手段を具備することを特徴とする請求項１記載の録画再生装置。
【請求項５】
前記設定手段は、番組のジャンル、放送曜日、放送開始時刻のうち少なくとも１つが、前記録画する番組と前記録画済の番組で同一のとき、前記録画する番組と前記録画済の番組を同一のフォルダ内に保存することを特徴とする請求項１記載の録画再生装置。
【請求項６】
前記番組名に互いに同一の文字列を含む番組を同一のフォルダ内に保存する処理を行うか否かを設定する手段を更に具備することを特徴とする請求項１記載の録画再生装置。
【請求項７】
前記保存手段は、複数の録画済み番組について、番組名に互いに同一の文字列を含む番組を同一のフォルダ内に保存することを特徴とする請求項１記載の録画再生装置。
【請求項８】
前記受信手段は、ネットワークを介して接続されたサーバから映像コンテンツを受信するネットワークインターフェースであることを特徴とする請求項１記載の録画生成装置。
【請求項９】
映像コンテンツを含む番組を受信し、
前記受信された番組を録画する場合、該録画する番組と録画済みの番組の番組名が、互いに同一の文字列を含むとき、前記録画する番組と前記録画済の番組を同一のフォルダ内に保存することを特徴とする録画再生方法。
【発明の詳細な説明】
【技術分野】
【０００１】
本発明は、放送番組を受信し、例えば互いに関連する番組を同一フォルダに保存するフォルダ機能を有する録画再生装置び方法に関する。
【背景技術】
【０００２】
近年、ハードディスクドライブ（ＨＤＤ）等の情報記録媒体の記憶容量が大幅に拡大し、多数のテレビ番組を録画することが可能となっている。番組の録画を予約するには、ユーザが所望の番組の放送日、放送チャンネル、放送開始時刻、および放送終了時刻を指定する方式及び番組表に記載されたＧコードを入力する方式が主に用いられていた。しかし最近では、デジタル放送の普及に伴って、ＥＰＧ(Electronic Program Guide)という電子番組表を用いて録画予約可能な装置が普及し始めている。
【０００３】
録画した番組の番組数が多い場合、特に毎日行なわれている連続ドラマの場合などは、視聴してない番組が数日分視聴されずに保存されると、見たい回の番組を探すのに時間と手間がかかる。また、他機器へのダビング（移動）する際も該当する録画済み番組を探すのが煩雑となる。連続ドラマ以外にも、毎週視聴してそのまま保存しておく音楽番組などの場合も同様である。
【０００４】
このような録画再生装置の欠点を補うために、互いに関連する番組を同一フォルダに保存し、録画した番組の管理を容易にした装置がある。このような装置は、例えば同一ジャンルの番組をグループ化して記録媒体に保存する。下記特許文献１には、番組の属性ごとに１以上の番組をグループ番組としてグループ化し、グループ番組表を表示する装置が開示されている。  
【特許文献１】特開１８０５−２６６３８８号公報
【発明の開示】
【発明が解決しようとする課題】
【０００５】
録画番組を保存するためのフォルダはユーザが作成しなければならず、手間と時間がかかる。また、複数の番組を録画した後にそれらを一つのフォルダに移動する場合は、該当する番組を探してフォルダに移動させなければならず、手間と時間がかかる。
【０００６】
本発明は、各種録画番組をフォルダを用いて容易に管理することが可能な録画再生装置及び方法を提供することを目的とする。
【課題を解決するための手段】
【０００７】
上記課題を解決するために、本発明による録画再生装置は、番組を受信する受信手段と、前記受信手段により受信された番組を録画する場合、該録画する番組と録画済みの番組の番組名が、互いに同一の文字列を含むとき、前記録画する番組と前記録画済の番組を同一のフォルダ内に保存する保存手段とを具備する。
【発明の効果】
【０００８】
同じ名前の録画番組を自動的に一つのフォルダに分類して保存できるので、録画済み番組の検索及び管理が容易となる。
【発明を実施するための最良の形態】
【０００９】
以下、図面を参照して本発明の実施形態を説明する。
【００１０】
図１は本発明が適用される録画再生装置１０の構成を示すブロック図である。録画再生装置１０は、ＨＤＤ内蔵ＴＶ受信機、ＤＶＤレコーダあるいはＰＣ等、様々な録画再生機器に適用できる。
【００１１】
チューナ１３には、アンテナで受信された放送信号がアンテナ入力端子２４を介して受信される。チューナ１３は、受信した放送信号から、特定チャンネルの番組データを抽出する。チューナ１３はＢＳデジタル及び地上波デジタル等のデジタル放送を受信可能なデジタルチューナである。
【００１２】
ネットワークインターフェース１６は、ネットワーク端子２６を介して接続されたネットワーク上の機器とのインターフェースを行う。このようなネットワーク上の機器としては、ＬＡＮ  ＨＤＤ機器が含まれる。ＬＡＮ  ＨＤＤ(Local Area Network HDD)は、家庭内ＬＡＮを用いてＨＤＤ内蔵のＡＶ機器、ＰＣを相互に接続し、連携して利用するための技術仕様である。
【００１３】
デコーダ１２は、チューナ１３、ネットワークインターフェース１６又はＨＤＤ１７から提供される圧縮されたデータをデコード（伸長）する。ＨＤＤ１７は、チューナ１３、ネットワークインターフェース１６あるいはエンコーダ１４から提供されるエンコードされた映像及び音声データを記録する。
【００１４】
信号処理部１５は、デコーダ１２によってデコードされた映像及び音声データを例えばＤ／Ａ変換及び増幅し、映像信号及び音声信号を再生する。モニタ部２２は、端子２７を介して信号処理部１５から提供される映像信号を基に映像を表示し、音声信号を基に音声を出力する。モニタ部２３は録画再生装置に含まれるように構成してもよいし、あるいは録画再生装置にケーブルを介して外部接続されてもよい。
【００１５】
切り替え部２１は、外部入力端子２５ａ、…、２５ｎを介して接続された外部入力機器の１つをＣＰＵ１９の制御の下に選択し、選択された外部入力機器からのアナログ信号を信号処理部１５に供給する。信号処理部１５は、入力される外部入力機器からのアナログ信号に対して増幅及びフィルタリング等の信号処理を施し、処理された信号をモニタ部２３に提供する。外部入力機器からのアナログ信号を記録する場合、該アナログ信号は例えば信号処理部１５にてＡ／Ｄ変換され、エンコーダ１４によりエンコードされた後、ＨＤＤ１７に記録される。
【００１６】
操作部２０はユーザインターフェースであり、ユーザから各種入力操作を受けつけるための様々なボタン、及びリモコン２８から送信され信号を受信する受信部２０ａを有している。ユーザは操作部２０又はリモコン２８を用いて、録画再生装置１０を操作できる。
【００１７】
メモリ１８は各種制御プログラムを格納するＲＯＭ及びＣＰＵ１９の作業エリアとして使用されるＲＡＭを含む。ＣＰＵ１５は、操作部２０を介してユーザから入力された指示に従って、メモリ１８に記録されている制御プログラムを実行する。
【００１８】
次に、本発明に係る番組の自動振分け録画の一実施形態について説明する。
【００１９】
本実施形態では、チューナ１３により受信した番組をＨＤＤ１７に録画する場合、録画する番組と録画済みの番組の番組名が、互いに同一の文字列を含むとき、録画する番組と録画済の番組は同一番組名の番組として、ＨＤＤ１７内の同一のフォルダ内に保存される。この番組名はＥＰＧを参照することで容易に判断できる。
【００２０】
図２は、番組をフォルダに保存するための条件、つまり録画する番組と録画済の番組が同一番組であると判断するための条件を設定するフローチャートである。この条件設定は、装置の初期設定として行ってもよいし、番組録画を予約するときに行ってもよいし、後述するように複数の録画済番組をフォルダを用いて自動振分けするときに行ってもよい。
【００２１】
先ずＣＰＵ１９は、図３に示すような自動振分けの条件設定メニューをモニタ部２２に表示する（Ｓ１０１）。例えばリモコン２８の上下ボタンでカーソル３１を上下させ、左右ボタンで各項目の内容を設定する。
【００２２】
リモコン２８等から入力されるユーザ指示に応じて、ＣＰＵ１９は自動振分け処理、すなわち番組名に互いに同一の文字列を含む番組を同一のフォルダ内に保存する処理の有効／無効、及び自動振分け処理の処理対象番組を設定する（Ｓ１０２、Ｓ１０３）。自動振分け処理の処理対象番組の設定としては、”全て”または”個別”を設定できる。個別が設定された場合、後述するように例えば録画予約時に、当該番組を自動振分けするか否か個別に設定できる。
【００２３】
ステップＳ１０４では番組名に含まれる共通文字列の文字数を設定する。この文字数の設定には、番組名の全文字の設定も含まれる。ステップＳ１０５では番組のジャンルを設定する。このジャンルには、映画、音楽、ドラマ等が含まれる。ステップＳ１０４では番組の放送曜日が設定される。
【００２４】
次に、自動振分け処理の個別設定について説明する。図４は本発明に係る予約リストの一実施形態を示す図である。
【００２５】
ユーザが番組録画の予約を行う場合、ＣＰＵ１９はユーザ指示に応じて、図４のような予約リストをモニタ部２２に表示する。この予約リストでは、録画予約された各番組について、番組名、放送チャンネル、自動振分けのＯＮ／ＯＦＦ、ジャンル、放送日時が示されている。「ＢＳ」はＢＳデジタル放送、「地」は地上デジタル放送を示す。ユーザはリモコン等の操作により各項目内容を設定できる。尚、番組名は、放送チャンネル及び放送日時を元に、ＣＰＵ１９によりＥＰＧを参照して自動的に設定される。  
自動振分けのＯＮ／ＯＦＦは、番組の自動振分け録画、すなわち番組名に互いに同一の文字列を含む番組を同一のフォルダ内に保存する処理を行うか否かを示す。この項目がＯＮに設定されると、ＣＰＵ１９は予約番組の録画時に、番組の自動振分け録画を実行する。このように本実施形態では、番組の自動振分け録画を行うか否かを、録画する各番組について設定することができる。
【００２６】
次に、録画動作の一実施例を説明する。図５は予約された番組の録画時の動作を示すフローチャートである。
【００２７】
予約された番組を録画する際にＣＰＵ１９は、録画する番組の番組名と、例えば図２のステップＳ１０４のようにして設定された文字数だけ一致する文字列を含む番組名を有する録画済番組があるか判断する（Ｓ２０１）。該当する録画済番組がある場合（Ｓ２０１のＹＥＳ）、ＣＰＵ１９は当該録画済番組を保存しているフォルダがあるか判断する（Ｓ２０２）。
【００２８】
当該録画済番組を保存しているフォルダがある場合（Ｓ２０２のＹＥＳ）、ＣＰＵ１９は録画する番組を該当フォルダに保存する（Ｓ２０３）。一方、当該録画済番組を保存しているフォルダがない場合（Ｓ２０２のＮＯ）、ＣＰＵ１９はフォルダを作成し、録画する番組と、上記設定された文字数だけ一致する文字列を含む番組名を有する録画済番組とを、作成したフォルダに保存する（Ｓ２０３）。このようにＣＰＵ１９は、録画する番組と前記録画済の番組を保存するためのフォルダが存在しない場合は、フォルダを新たに作成する。
【００２９】
図６は予約された番組の録画時の動作の第２実施形態を示すフローチャートである。
【００３０】
この第２実施形態では、番組をフォルダに保存する条件として、上記図５の実施形態に加え、番組のジャンル、放送曜日（あるいは放送開始時刻）が、録画する番組と前記録画済の番組で同一のとき、録画する番組と当該録画済の番組を同一のフォルダ内に保存する。
【００３１】
先ずＣＰＵ１９は、録画する番組と同じジャンルで同じ放送曜日（あるいは放送開始時刻）の録画済番組があるか判断する（Ｓ３０１）。該当する録画済番組がある場合（Ｓ３０１のＹＥＳ）、ＣＰＵ１９は当該録画済番組の中に、設定された文字数だけ一致する文字列を含む番組名の録画済番組があるか判断する（Ｓ３０２）。該当する録画済番組がある場合（Ｓ３０２のＹＥＳ）、ＣＰＵ１９は当該録画済番組を保存しているフォルダがあるか判断する（Ｓ３０３）。
【００３２】
当該録画済番組を保存しているフォルダがある場合（Ｓ３０３のＹＥＳ）、ＣＰＵ１９は録画する番組を該当フォルダに保存する（Ｓ３０４）。一方、当該録画済番組を保存しているフォルダがない場合（Ｓ３０３のＮＯ）、ＣＰＵ１９はフォルダを新たに作成し、録画する番組と、上記設定された文字数だけ一致する文字列を含む番組名の録画済番組とを、作成したフォルダに保存する（Ｓ３０４）。
【００３３】
次に、録画済番組の自動振り分けについて説明する。図７は録画済番組の自動振り分け動作の一実施形態を示すフローチャートである。本実施例では、複数の録画済み番組について、番組名に互いに同一の文字列を含む番組が同一のフォルダ内に保存される。尚、本実施形態では、番組予約時に各番組について、図４の実施形態で示したような自動振分けの設定は行われていない。
【００３４】
録画済番組の自動振り分けが、ユーザによりリモコン等により指示されると、ＣＰＵ１９は図８に示すような録画リスト（録画済番組のリスト）をモニタ部２２に表示する（Ｓ４０１）。ここで、ユーザがリモコンの例えば黄ボタンを押して録画済番組の自動振分けを指示すると（Ｓ４０２のＹＥＳ）、ＣＰＵ１９は図９に示すような自動振分け処理の実行確認画面をモニタ部２２に表示する。
【００３５】
ここでユーザから「ＹＥＳ」が入力されると、ＣＰＵ１９は録画済番組の自動振分けを実行する（Ｓ４０５）。この結果、図８の録画リストは、図１０のような自動振分け後の録画リストに変わる。この自動振分けでは、図８に示した番組名「陽だまりの中で」という３つの録画済番組が１つのフォルダに保存され、番組名「今夜もポップス」という録画済番組が他のフォルダに保存されている。
【００３６】
以上説明したように本発明の実施形態によれば、同じ名前の録画番組を自動的に一つのフォルダに分類して保存できる。その結果、目的の録画済み番組を探し易くなる。特に、連続ドラマの場合など、視聴したい回（曜日）の番組をすぐに探すことができる。また、連続ドラマや毎週録画している番組などは、全てフォルダごとに保存されるので、録画済番組リストが雑然とせず見易いものとなる。更に、フォルダ外に保存されている録画済番組も見つけ易くなる。
【００３７】
尚、録画する番組はチューナ１３で受信したデジタル放送番組に限らず、例えばネットワークＩ／Ｆ１６を介して受信されたＬＡＮ  ＨＤＤ等の機器からの映像コンテンツでも本発明が適用できることは明らかである。
【００３８】
以上の説明はこの発明の実施の形態であって、この発明の装置及び方法を限定するものではなく、様々な変形例を容易に実施することができる。
【図面の簡単な説明】
【００３９】
【図１】本発明が適用される録画再生装置１０の構成を示すブロック図である。
【図２】番組をフォルダに保存するための条件を設定するフローチャートである。
【図３】本発明に係る自動振分けの条件設定メニューの一例を示す図である。
【図４】本発明に係る予約リストの一実施形態を示す図である。
【図５】予約された番組の録画時動作を示すフローチャートである。
【図６】予約された番組の録画時動作の第２実施形態を示すフローチャートである。
【図７】録画済番組の自動振り分け動作の一実施形態を示すフローチャートである。
【図８】本発明に係る録画済番組のリストの一例を示す図である。
【図９】本発明に係る自動振分け処理の実行確認画面の一例を示す図である。
【図１０】本発明に係る自動振分け済みの録画リストの一例を示す図である。
【符号の説明】
【００４０】
１２…デコーダ、１３…チューナ、１４…エンコーダ、１５…信号処理部、１６…ネットワークインターフェース、１７…ハードディスクドライブ、１８…メモリ、１９…ＣＰＵ、２０…操作部、２８…リモコン。
【図１】
2008011432.tif 000003
【図２】
2008011432.tif 000004
【図３】
2008011432.tif 000005
【図４】
2008011432.tif 000006
【図５】
2008011432.tif 000007
【図６】
2008011432.tif 000008
【図７】
2008011432.tif 000009
【図８】
2008011432.tif 000010
【図９】
2008011432.tif 000011
【図１０】
2008011432.tif 000012